【事件の表示】
　特許第３２６０７９９号「ファクシミリ装置」の請求項１に係る特許に対する特許異議の申立てについて、次のとおり決定する。
【結　論】
　訂正を認める。
　特許第３２６０７９９号の請求項１に係る特許を維持する。
【理　由】
１．手続の経緯
　　特許第３２６０７９９号の請求項１に係る発明は、平成４年１月３１日に特許出願され、平成１３年１２月１４日にその発明について特許の設定登録がなされ、その後、小湊勇次より特許異議の申立てがなされ、平成１４年１１月２５日に取消理由通知がなされ、その指定期間内である平成１５年２月４日に訂正請求がされ、さらに、平成１５年３月４日に取消理由通知がなされ、その指定期間内である平成１５年３月１３日に訂正請求がされたものである。
　　　
２．訂正の適否についての判断
（１）平成１５年２月４日付けの訂正請求について
　特許請求の範囲の記載を、「上記画像出力手段が画像を出力する際に、上記画像判断手段
が、上記読取手段で読取った画像であると判断した場合は、ページの先頭部分を削除し、受信した画像であると判断した場合は、ページの先頭を削除せず
　したがって、平成１５年２月４日付けの訂正は認められない。
　
（２）平成１５年３月１３日付けの訂正請求について
　（ア）訂正の内容
　　（ａ）訂正事項ａ
　特許請求の範囲の請求項１について  
「【請求項１】 画像データを受信する受信手段と；
原稿を読み取る読取手段と；
画像を記録媒体上に出力する画像出力手段と；
記録媒体上に記録される画像が、上記受信手段で受信した画像であるか、または、上記読取手段が読取った画像であるかを判断する画像判断手段と；
上記画像出力手段が画像を出力する際に、上記画像判断手段による判断結果に応じて、画像の出力位置を制御する出力位置制御手段と；
を有することを特徴とするファクシミリ装置。」
とあるのを、
「【請求項１】　画像データを受信する受信手段と；
原稿を読み取る読取手段と；
画像を記録媒体上に出力する画像出力手段と；
記録媒体上に記録される画像が、上記受信手段で受信した画像であるか、または、上記読取手段が読取った画像であるかを判断する画像判断手段と；
上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
　を有することを特徴とするファクシミリ装置。 」
と訂正する。
　　（ｂ）訂正事項ｂ
　明細書の段落【０００８】の記載について、
「【課題を解決するための手段】本発明は、画像データを受信する受信手段と、原稿を読み取る読取手段と、画像を記録媒体上に出力する画像出力手段と、記録媒体上に記録される画像が、上記受信手段で受信した画像であるか、または、上記読取手段が読取った画像であるかを判断する画像判断手段と、上記画像出力手段が画像を出力する際に、上記画像判断手段による判断結果に応じて、画像の出力位置を制御する出力位置制御手段とを有するファクシミリ装置である。」
とあるのを、
「【課題を解決するための手段】本発明は、画像データを受信する受信手段と、原稿を読み取る読取手段と、画像を記録媒体上に出力する画像出力手段と、記録媒体上に記録される画像が、上記受信手段で受信した画像であるか、または、上記読取手段が読取った画像であるかを判断する画像判断手段と、上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
と訂正する。
　
　（イ）訂正の目的の適否、新規事項の有無及び拡張・変更の存否
　　上記訂正事項に関連する記載として、願書に添付した明細書の発明の詳細な説明の【００２７】〜【００３３】には、マスクライン数と無効ライン数について、コピー画像の場合と、受信画像の場合とにおける制御部１の動作が記載されている。
　そうすると、上記訂正事項ａは、特許明細書に記載された事項の範囲内において、出力位置制御手段を限定したものといえるから、特許請求の範囲の減縮を目的とした明細書の訂正に該当するものであって、新規事項の追加に該当せず、また、実質上特許請求の範囲を拡張し、又は変更するものではない。
　また、上記訂正事項ｂは、上記訂正事項ａにより付随的に生じる記載の不備を解消するものであって、明りょうでない記載の釈明を目的とした明細書の訂正に該当するものであって、新規事項の追加に該当せず、また、実質上特許請求の範囲を拡張し、又は変更するものではない。
　
　（ウ）むすび　
　以上のとおりであるから、上記平成１５年３月１３日付けの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立てについての判断
（１）本件発明
　上記２．で示したように上記訂正が認められるから、本件の請求項１に係る発明は、上記訂正に係る訂正明細書の特許請求の範囲の請求項１に記載された事項に特定される次のとおりのものである。
「【請求項１】　画像データを受信する受信手段と；
原稿を読み取る読取手段と；
画像を記録媒体上に出力する画像出力手段と；
記録媒体上に記録される画像が、上記受信手段で受信した画像であるか、または、上記読取手段が読取った画像であるかを判断する画像判断手段と；
上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
　を有することを特徴とするファクシミリ装置。」
　　
（２）申立て理由の概要
　申立人小湊勇次は、証拠として甲第１号証（特開昭６１−２８８６６０号公報）を提出し、請求項１に係る発明は、特許法第２９条第１項の規定に違反してなされたものであるから、特許を取り消すべき旨主張している。
　　
（３）引用刊行物に記載された発明
　当審が平成１４年１１月２５日付けで通知した取消理由で引用した刊行物は、刊行物１（特開昭６１−２８８６６０号公報）（甲第１号証）であり、特許法第２９条第１項または第２９条第２項の規定により特許を受けることができないとしたものである。
　
（刊行物１）
　その刊行物１（特開昭６１−２８８６６０号公報）には、
　甲第１号証には、画像読取系としての画像読取部１００と、記録系としてのレーザプリンタ２００と、画像読取部１００とし一ザプリンタ２００とを制御するコントローラＣとを有するファクシミリ装置が記載されている。このコントローラＣは、ＮＣＵ３１を介して相手局から受けた受信画像データをレーザプリンタ２００に送る受信系と、コントローラＣの全体を制御するＣＰＵ５０とを備えることが記載されている。（第１図、ならびに第２ページ左上欄第１０行目から第１４行目および第２ページ右下欄第３行目から第３ページ左上欄第１３行目を参照）
　さらに、以下のことが記載されている。（第３ページ右上欄第５行目から第４ページ左上欄第３行目および第４ページ左下欄第１９行目から同右下欄第１行目、ならびに第５図を参照）
　・等倍コピーモードと受信１１／１２モードが設定された状況下にて、コピーであるか、受信であるかを判断し（第５図のＳ１４）、受信と判断した場合は、１１／１２モードにセットされているので、同図Ｓ１５〜Ｓ２０の各ステップを経た後に、縮小した画像のプリント動作を行う（同図Ｓ２１）。
　・第５図のＳ１４にてコピーと判断した場合は、等倍モードに設定されているので、同図Ｓ３０〜Ｓ３２の各ステップを経た後に、等倍画像のプリント動作を行う（同図Ｓ２１）。
　・１１／１２モードによる縮小は、縦横比を同じにするために、双方向で縮小を行うものである。
　・１１／１２モードは、記録開始位置をずらすこと（第５図のＳ１８）に加えて、間引き処理をすること（同図Ｓ１９およびＳ２０）により、縮小画像をプリントするものである。
　・受信モードにおいては、１１／１２モードを優先し、コピーモードにおいては等倍モードを優先しているので、極めて好適である。
　
（４）対比・判断
　本件請求項１に係る発明と刊行物１とを対比すると、刊行物１では、コピーモードにおいては等倍モードを優先し、受信モードにおいては、１１／１２モードを優先して、受信時に、送信原稿の上下の長さおよび左右の長さを、強制的に、１１／１２に縮小すると共にセンターずれをなくすようにしたものであるが、本件発明の「画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
　しかも、このように、読取手段で読取った画像と受信した画像とで、画像印字開始位置を調整することができるため、例えばコピーのコピーを繰り返しとった場合でも、記録位置がずれることなく良好な出力状態を得ることができる効果を奏するものと認められる。
　してみると、本件請求項１に係る発明は、刊行物１に記載された発明でないばかりか、刊行物１に記載された発明に基づいて当業者が容易に発明できたものでもない。
　
（５）むすび
 以上のとおりであるから、特許異議の申立ての理由によっては本件請求項１に係る発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月１８日（２００３．３．１８）
【訂正の要旨】
▲１▼　特許請求の範囲の記載を、次の記載に訂正します。
「　【請求項１】　画像データを受信する受信手段と；
　原稿を読み取る読取手段と；
　画像を記録媒体上に出力する画像出力手段と；
　記録媒体上に記録される画像が、上記受信手段で受信した画像であるか、または、上記読取手段が読取った画像であるかを判断する画像判断手段と；
　上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
　を有することを特徴とするファクシミリ装置。」
▲２▼　明細書の発明の詳細な説明の欄における段落【０００８】を、次の記載に訂正します。
「　　【０００８】
　【課題を解決するための手段】
　本発明は、画像データを受信する受信手段と、原稿を読み取る読取手段と、画像を記録媒体上に出力する画像出力手段と、記録媒体上に記録される画像が、上記受信手段で受信した画像であるか、または、上記読取手段が読取った画像であるかを判断する画像判断手段と、上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
（５４）【発明の名称】
ファクシミリ装置
（５７）【特許請求の範囲】
　【請求項１】　画像データを受信する受信手段と；
　原稿を読み取る読取手段と；
　画像を記録媒体上に出力する画像出力手段と；
　記録媒体上に記録される画像が、上記受信手段で受信した画像であるか、または、上記読取手段が読取った画像であるかを判断する画像判断手段と；
　上記画像出力手段が画像を出力する際に、上記画像判断手段
が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって
　を有することを特徴とするファクシミリ装置。
【発明の詳細な説明】
　【０００１】
　【産業上の利用分野】
　本発明は、原稿のコピー機能を有するファクシミリ装置に関する。
　【０００２】
　【従来の技術】
　従来より、たとえば記録部にレーザビームプリンタ（以下、ＬＢＰという）を有するファクシミリ装置が知られている。
　【０００３】
　ところで、ＬＢＰにおいては、記録紙が定着器に張り付くのを防止するため、記録紙の周辺部分を除いて画像を出力するようになっている。例えば、図２（ａ）に示す画像を印字する場合には、図２（ｂ）に斜線で示すように、記録紙の周辺部分には画像を出力できないので、図２（ｃ）に示すように、画像をズラして出力する。
　【０００４】
　特に、ファクシミリ装置においては、受信画像の先端部分に送信側の略称や電話番号、日付等をヘッダ情報として印字するため、この印字スペースを確保する必要があることから、図２（ｃ）に示すようにして、ヘッダ情報を確実に印字するようになっている。
　【０００５】
　【発明が解決しようとする課題】
　しかしながら、上記従来技術では、画像の受信時のみならず画像のコピー時にも画一的に画像をズラして出力することから、コピー後の画像がコピー前の原稿に対してズレて出力されることになる。
　【０００６】
　特に、ファクシミリ受信した原稿をコピーする場合、受信時のズレがコピーによってさらに拡大され、図２（ｄ）に示すように出力されることになり、大変見づらくなってしまう欠点がある。
　【０００７】
　本発明は、受信とコピーに応じて適正な画像の記録を行うことができるファクシミリ装置を提供することを目的とする。
　【０００８】
　【課題を解決するための手段】
　本発明は、画像データを受信する受信手段と、原稿を読み取る読取手段と、画像を記録媒体上に出力する画像出力手段と、記録媒体上に記録される画像が、上記受信手段で受信した画像であるか、または、上記読取手段が読取った画像であるかを判断する画像判断手段と、上記画像出力手段が画像を出力する際に、上記画像判断手段が、上記読取手段で読取った画像であると判断した場合は、出力画像を原稿と同一の位置に印刷するために、マスクライン数と無効ライン数を同値に設定し、受信した画像であると判断した場合は、ヘッダー部分のデータの欠落を防止するために、マスクライン数を上記読み取り手段で読取った場合と同じ値に設定し、かつ無効ライン数を０に設定することによって画像の出力位置を制御する出力位置制御手段とを有することを特徴とするファクシミリ装置である。
　【０００９】
　【実施例】
　図１は、本発明の一実施例を示すブロック図である。
　【００１０】
　制御部１は、ＣＰＵ、ＲＯＭおよびＲＡＭ等より構成され、装置全体を制御するものである。
　【００１１】
　操作部２は、テンキーおよび各種ファンクションキーを有し、オペレータが各種の指示を入力するとともに、ＬＣＤ表示器およびスピーカを有し、オペレータに各種表示および音響出力を行う。
　【００１２】
　リーダ部３は、ＣＣＤラインセンサ等により原稿の読み取りを行い、読み取った画像をデジタル情報に変換して出力する。
　【００１３】
　プリンタ部４は、ＬＢＰより構成され、記録紙の先端部分に画像の記録を行えない構成となっている。
　【００１４】
　タイミング調整部５は、上記プリンタ部４に送る画像データの送出タイミングを制御し、受信動作時とコピー動作時とで、記録紙に対する画像の記録位置を変更するものである。
　【００１５】
　通信制御部（ＣＣＵ）６は、回線８を介して相手通信装置との間で画像データ等の通信動作を制御する。
　【００１６】
　画像メモリ７は、少なくとも１ページ分の生画像データ（符号化圧縮しないデータ）を格納できる容量を有しており、相手通信装置から受信されて復号化された画像データや、コピー時にリーダ部３より読み取った画像データを格納するものである。
　【００１７】
　図３は、画像出力時におけるタイミング制御を行うための構成を示す回路図である。
　【００１８】
　プリンタ部４は、ページ先頭信号４ａとライン同期信号４ｂと画像転送クロック４ｃをタイミング調整部５側に供給している。
　【００１９】
　ページ先頭信号４ａは、ページの先頭ラインを印刷するタイミングでオンする信号であり、そのページを印刷している期間中、オン状態になる。
　【００２０】
　ライン同期信号４ｂは、画像の各ラインの印刷中を示す信号であり、１ラインの印刷中はオン状態になる。
　【００２１】
　画像転送クロック４ｃは、画像メモリ７からデータを受信するタイミングを決めるための信号であり、ライン同期信号４ｂがオン状態のときにのみ送出されるものである。
　【００２２】
　上記タイミング調整部５は、画像データの転送を制御するＤＭＡ８と、転送タイミングを得るためのラインカウンタ９と、上記ライン同期信号４ｂをＤＭＡ８に供給するバッファ１０とを有している。
　【００２３】
　ラインカウンタ９は、ライン同期信号４ｂを入力してカウントし、そのカウント値が上記制御部１により設定された値（後述するマスクライン数）になると、バッファ１０をオンしてライン同期信号４ｂをＤＭＡ８のＤＭＡ要求ポートに供給する。つまり、バッファ１０は、オフ状態では、ライン同期信号４ｂを遮断している。
　【００２４】
　ＤＭＡ８は、制御部１より画像メモリ７のアドレスと転送量を指示され、画像メモリ７の画像データ７ａをプリンタ部４に供給するものであり、ＤＭＡ要求ポートにライン同期信号４ｂが入力されたタイミングに基づいて画像データ７ａをプリンタ部４に供給する。
　【００２５】
　なお、ＤＭＡ要求ポートにライン同期信号４ｂが入力されて印刷が開始された後も、制御部１からのアドレスに基づいてプリンタ部４に画像データ７ａが送られない間は、白紙のまま出力される。
　【００２６】
　したがって、上記制御部１がラインカウンタ９の設定値を適宜設定することにより、プリンタ部４における画像印字開始位置を調整することができる。
　【００２７】
　図４は、本実施例における画像出力時の動作を示すフローチャートである。
　【００２８】
　画像出力要求があると、まず、出力する画像がコピー画像か受信画像かを判断する（Ｓ１）。
　【００２９】
　そして、コピー画像である場合、Ｓ２でマスクライン数と無効ライン数を設定する。
　【００３０】
　ここでマスクライン数とは、記録紙の上端に印刷しないライン数を示す。この値は、プリンタ部４の性能に基づいて決定される。
　【００３１】
　また、無効ライン数は、画像メモリ７内の画像データについて、そのページ先頭から削除するライン数を示し、この無効ライン数に基づいてＤＭＡ８によるデータ転送時の先頭アドレスが繰り下げられる。
　【００３２】
　そして、上記コピー画像の場合、出力画像をコピー原稿と同一の位置に印刷したいので、通常は、マスクライン数と無効ライン数は同値となる。これにより、コピー原稿におけるページ先頭からの余白量、すなわち画像メモリ７内の画像データにおけるページ先頭からの余白量が、そのまま記録紙上端の余白として出力される。
　【００３３】
　また、受信画像の場合は、Ｓ３でマスクライン数と無効ライン数を設定する。この受信画像の場合には、マスクライン数はコピーの場合と同値であるが、無効ライン数は、ヘッダ部分のデータの欠落を防止するため、０とする。
　【００３４】
　次に、Ｓ２またはＳ３で求めた無効ライン数に基づいて有効なラインの先頭アドレスを求める。これは、次式で求められる。
　【００３５】
　　有効なラインの先頭アドレス＝（画像メモリのページ先頭アドレス）−｛（１ラインのデータ数）×（無効ライン数）｝
　そして、この有効なラインの先頭アドレスを転送元アドレスとしてＤＭＡ８にセットする。また、有効なラインの全データ数を転送量としてＤＭＡ８にセットする（Ｓ４）。
　【００３６】
　次に、プリンタ部４からページの先頭信号４ａが出力されるのを待ち（Ｓ５）、この出力があると、ラインカウンタ９にマスクライン数をセットし（Ｓ６）、ライン同期信号４ｂを受信する毎に（Ｓ７）、ラインカウンタ９をデクリメントする（Ｓ８）。
　【００３７】
　そして、ラインカウンタ９の値が０より大きいか否かを判定し、このラインカウンタ９の値が０になると（Ｓ９）、バッファ１０がオンし、ＤＭＡ８が起動して上記先頭アドレスより画像データ７ａの転送開始待ちとなる。そして、プリンタ部４からの画像転送クロック４ｃに合わせて画像データ７ａを転送する（Ｓ１０）。
　【００３８】
　図５は、上記マスクライン数を２ラインとした場合の動作タイミングを示すタイミングチャートである。
　【００３９】
　まず、５−ａにおいて、プリンタ部４からのページ先頭信号４ａがオンされると、制御部１は、このページ先頭信号４ａのオフからオンへの移行を検出し、ラインカウンタ９に２ラインの値をセットする。
　【００４０】
　そして、５−ｂ、５−ｃにおいて、プリンタ部４からのライン同期信号４ｂのオンからオフへの変化をカウンタ９が２回カウントすると、このカウンタ９の出力によりバッファ１０がオン状態となる。
　【００４１】
　これ以降は、ＤＭＡ８へのライン同期信号４ｂが遮断されないことになり、ＤＭＡ８は、５−ｄ以降でバッファ１０からのライン同期信号４ｂがオン状態の間、プリンタ部４からの画像転送クロック４ｃに同期して画信号をライン単位で順次送出する。
　【００４２】
　以上の実施例においては、ハードウエアは従来と同様の構成を利用し、プログラムの変更だけで実現できるので、製造コストを上げることなく、容易に実施できる。
　【００４３】
　【発明の効果】
　本発明によれば、画像出力に際して、コピー画像か受信画像かで、印刷位置を変えることにより、適正な画像の記録を行うことができ、例えばコピーのコピーを繰り返しとった場合でも、記録位置がずれることなく良好な出力状態が得られる。
【図面の簡単な説明】
　【図１】
　本発明の一実施例を示すブロック図である。
　【図２】
　ファクシミリ装置における出力処理の種類によって変動する画像の出力位置を説明する模式図である。
　【図３】
　上記実施例における画像出力時にタイミング制御を行うための構成を示す回路図である。
　【図４】
　上記実施例における画像出力時の動作を示すフローチャートである。
　【図５】
　上記実施例における画像出力時の動作を示すタイミングチャートである。
　【符号の説明】
　１…制御部、
　２…操作部、
　３…リーダ部、
　４…プリンタ部、
　５…タイミング調整部、
　６…通信制御部、
　７…画像メモリ。